(57)【要約】  【課題】  各種の容器Ａの内面に貼り付けるだけで、容器Ａを食事に使用することができ、その食品汚れを水を使って洗浄せずに簡単に除去することができる食器シート１０を提供すること。また、使用者自らが状況に応じて各種容器の所望位置に仕切りを設けることができる食器仕切りセットを提供すること。  【解決手段】  所望の容器Ａの内面形状に沿って柔軟に変形させ得るシート体１と、このシート体１の片面側に設けられた粘着部２と、この粘着部２を被覆してシート体１を平面形状に保持する剥離ライナ３と、から食器シート１０を構成した。また、この食器シートと、所望の容器上に載置可能な仕切り部材と、から食器仕切りセットを構成した。  【選択図】  図１
2006346240.tif 000002
【特許請求の範囲】
【請求項１】
所望の容器の内面形状に沿って柔軟に変形させ得るシート体と、
該シート体の片面側に設けられた粘着部と、
該粘着部を被覆し、かつ、前記シート体を平面形状に保持する剥離ライナと、
から成り、
使用時に、前記剥離ライナを剥がして前記シート体を前記容器の内面形状に沿って変形させながら前記粘着部を該容器の内面に粘着させ得ることを特徴とした食器シート。
【請求項２】
前記シート体が、互いに剥離可能に積層された複数のフィルムから成ることを特徴とした請求項１記載の食器シート。
【請求項３】
複数の前記フィルムにそれぞれ摘み部が形成され、各摘み部の形成位置が他の摘み部の形成位置と異なることを特徴とした請求項２記載の食器シート。
【請求項４】
前記請求項１乃至請求項３のいずれかに記載の食器シートと、
所望の容器上に載置可能な仕切り部材と、
から成る仕切りセットであって、
前記容器の所望の位置に前記仕切り部材を載置し、前記食器シートの剥離ライナを剥がして前記シート体を該仕切り部材に被せ、そして、該シート体を該仕切り部材及び該容器の内面形状に沿って変形させながら前記粘着部を該容器の内面に粘着させ得ることを特徴とした食器仕切りセット。
【請求項５】
前記仕切り部材が、互いに回動可能にヒンジ連結された複数の棒状片から成ることを特徴とした請求項４記載の食器仕切りセット。
【発明の詳細な説明】
【技術分野】
【０００１】
本発明は、各種の容器の内面に貼り付けるだけで該容器を食事に使用することができる食器シートと、使用者自らが各種容器の所望位置に仕切りを設けて食事に使用することができる食器仕切りセットとに関するものである。
【背景技術】
【０００２】
従来、食品容器の内側に付着した食品汚れを、水を使って洗浄せずとも簡単に除去することのできる食品容器として、下記の特許文献１に記載のものが提案されている。この食品容器は、容器の内側に合成樹脂フィルムを剥離可能に積層したものであり、積層されたフィルムを容器から引き剥がすことによって食品汚れをフィルムごと容器から除去することができる。
【０００３】
しかしながら、特許文献１に記載のものは、予め容器に合成樹脂フィルムが積層されて成る食品容器として市場に提供されるものであり、使用者の手持ちの食器等については、依然、食品汚れを水洗いしていたのが実情である。
【０００４】
また、従来、使用者自らが食品容器に仕切りを設けることのできる食品容器として、下記の特許文献２に記載のものが提案されている。しかしながら、特許文献２に記載のものは、仕切りを設ける位置が予め決められており、使用者が状況に応じて食品容器の所望の位置に仕切りを設けることはできなかった。
【０００５】
【特許文献１】実公平７−５６１９０号公報
【特許文献２】特開２００４−２３６７２０号公報
【発明の開示】
【発明が解決しようとする課題】
【０００６】
本発明は、従来の食品容器に上記のような難点があったことに鑑みて為されたもので、  各種容器の内面に貼り付けるだけで該容器を食事に使用することができ、そして、付着した食品汚れを、水を使って洗浄せずとも簡単に除去することができる食器シートを提供することを目的とする。
【０００７】
また、本発明の他の目的は、使用者自らが状況に応じて各種容器の所望位置に仕切りを設けることができ、そして、該容器を食事に使用することができる食器仕切りセットを提供することにある。
【課題を解決するための手段】
【０００８】
本発明は、所望の容器の内面形状に沿って柔軟に変形させ得るシート体と、該シート体の片面側に設けられた粘着部と、該粘着部を被覆し、かつ、前記シート体を平面形状に保持する剥離ライナと、から成り、
使用時に、前記剥離ライナを剥がして前記シート体を前記容器の内面形状に沿って変形させながら前記粘着部を該容器の内面に粘着させ得ることを特徴としている。
【０００９】
また、本発明は、前記シート体が、互いに剥離可能に積層された複数のフィルムから成ることを特徴とする。
【００１０】
更にまた、本発明は、複数の前記フィルムにそれぞれ摘み部が形成され、各摘み部の形成位置が他の摘み部の形成位置と異なることを特徴とする。
【００１１】
更にまた、本発明は、前記請求項１乃至請求項３のいずれかに記載の食器シートと、所望の容器上に載置可能な仕切り部材と、から成る仕切りセットであって、
前記容器の所望の位置に前記仕切り部材を載置し、前記食器シートの剥離ライナを剥がして前記シート体を該仕切り部材に被せ、そして、該シート体を該仕切り部材及び該容器の内面形状に沿って変形させながら前記粘着部を該容器の内面に粘着させ得ることを特徴とする。
【００１２】
更にまた、本発明は、前記仕切り部材が、互いに回動可能にヒンジ連結された複数の棒状片から成ることを特徴とする。
【発明の効果】
【００１３】
本発明に係る食器シートによれば、柔軟なシート体を適宜に変形させながら、粘着部を容器に粘着させるだけで、容器の形状を問わず、簡単に容器の内面形状に沿わせてシート体を貼り付けることができるので、使用者の手持ちの食器類にも適用することができる。したがって、従来のように専用の食品容器を準備する必要もなく、手持ちの食器類についても、シート体を剥がすだけで食品汚れを簡単に除去することができる。食品汚れを水を使って洗浄する必要がないので、水資源の節約になるとともに家庭排水による環境汚染の抑制にも貢献でき、さらに、例えばキャンプ等の野外活動時、或いは被災時等において、洗浄水の確保が困難な状況であっても、手軽に食品汚れを除去することができ、衛生維持にも貢献し得る。
【００１４】
しかも、粘着部によって、容器の材質や表面形状等を問わず、確実にシート体を容器に貼り付けることができる。使い捨て式の簡易紙皿は勿論のこと、ざる、かご等の多数の隙間ないし開口部を備えた容器の内面にもシート体を貼り付けることができ、これら容器を食事の用に供することができる。
【００１５】
また、本発明に係る食器シートは、使用前の状態において、剥離ライナにより柔軟なシート体を平面形状に保持することができるので、その携帯性、取り扱い性に優れている。また、剥離ライナを剥がした後、シート体を平面状態から容器の内面形状に沿わせて変形させることができるので、シート体の貼り付け作業も容易に行い得る。
【００１６】
更にまた、シート体を互いに剥離可能に積層された複数のフィルムから構成し、各フィルムにそれぞれ、位置を異ならせて摘み部を形成すれば、柔軟なフィルムを１枚ずつ容易に剥離してゆくことができ、フィルム剥離作業を容易化することができる。
【００１７】
また、本発明に係る食器仕切りセットによれば、所望の容器上の所望位置に仕切り部材を載置し、この仕切り部材上にシート体を被せて容器の内面に貼り付けるだけで、仕切り部材を簡単に固定することができ、使用者自らが状況に応じて容器の所望位置に仕切りを設けることができる。したがって、複数の食品を混合させることなく一つの容器に収容することも可能となり、大変便利である。例えば、キャンプ等の野外活動時に、食品の種類に応じて何枚もの使い捨て式簡易紙皿を使用するといった不経済なこともない。
【００１８】
また、本発明に係る食器仕切りセットによれば、仕切り部材と、この仕切り部材上に被せて容器の内面に貼り付けたシート体とによって、仕切りを形成しているので、たとえ仕切り部材と容器の内面との間に隙間があっても、シート体によって確実に容器を仕切ることができる。したがって、容器の内面形状を問わず、所望の位置に仕切りを設けることができる。
【発明を実施するための最良の形態】
【００１９】
以下、本実施形態の食器シート１０について、図１〜図３を参照しながら説明する。
【００２０】
本実施形態の食器シート１０は、所望の容器の内面形状に沿って柔軟に変形させ得るシート体１と、このシート体１の下面側に設けられた粘着部２と、この粘着部２を被覆する剥離ライナ３とから構成されている。
【００２１】
シート体１は、図１に示すように、複数枚の円形状の合成樹脂製フィルム１１が互いに剥離可能に積層されて構成されている。本実施形態では、計３枚のフィルム１１を積層している。各フィルム１１は、その自己付着性により互いに隙間なく積層されており、シート体１全体として曲げ変形しても、それだけで各フィルム１１が互いに剥離してしまうことはない。フィルム１１は、例えば、ポリ塩化ビニリデン、ポリエチレン、ポリ塩化ビニル、ポリプロピレン等のフィルムを用いることができ、その厚みは、数μｍ〜数十μｍであることが好ましい。
【００２２】
また、図１（ａ）に示すように、各フィルム１１の端部には略長方形状の摘み部１２が形成されている。摘み部１２は、合成樹脂材から形成され、上記シート体１に比べて曲げ強度が大きく指で摘み易くなっている。図２に示すように、摘み部１２は、各フィルム１１の下面側に接着剤にて固定されており、また、図１（ａ）に示すように、各摘み部１２の形成位置は、他の摘み部１２の形成位置と異なっている。このことで、積層された複数枚のフィルム１１を上方のものから順に１枚ずつ簡単に剥がしてゆくことができる。これら摘み部１２に、降順に数字等を表示しても良い。
【００２３】
粘着部２は、上記シート体１を容器の内側に貼り付けるためのものである。図１（ａ）に示すように、本実施形態における粘着部２は、シート体１の下面側に部分的に複数個所設けられている。本実施形態では、円形状のシート体１の中央部に一箇所、周辺部に六個所、合計七個所の粘着部２を設けているが、シート体１の下面側の全面に粘着部を設けても良い。この粘着部２の粘着面を容器内面に粘着させることによって、シート体１を容器に着脱可能に貼り付けることができる。
【００２４】
剥離ライナ３は、上記粘着部２の粘着面を被覆するとともに、柔軟なシート体１を平面形状に保持するものである。本実施形態の剥離ライナ３は紙質材から成り、シート体１よりも若干大径の円形状に形成されている。この剥離ライナ３をシート体１から剥がすことによって、粘着部２の粘着面を露出させて容器への貼り付けが可能となるとともに、シート体１を容器の形状に沿って柔軟に曲げ変形させることが可能となる。図１（ｂ）には、剥離ライナ３を一端部から引き剥がす例を示しているが、例えば二分割された剥離ライナをその分割部分から引き剥がすように構成しても良い。
【００２５】
以下、本実施形態の食器シート１０の使用手順について説明する。
【００２６】
まず、食事に使用する容器Ａと、食器シート１０とを準備する。容器Ａとしては、椀状、皿状、箱状の各種の容器を適宜に利用することができる。陶磁製、木質材製、合成樹脂材製、紙質材製等の食器は勿論のこと、例えば、ざる、かご等の多数の隙間を備えた容器も利用することができる。
【００２７】
次に、食器シート１０の裏側の剥離ライナ３をシート体１から剥がして粘着部２を露出させる。そして、シート体１を容器Ａの内面形状に沿って変形させながら、粘着部２を容器Ａの内面に粘着させる。このとき、シート体１の中央部の粘着部２を先に容器Ａの底部中央付近に粘着させ、その後、シート体１を容器形状に沿わせながらシート体１の周辺部の粘着部２を粘着させれば、より簡単にシート体１を容器Ａに貼り付けることができる。シート体１は、柔軟であるため、図３に示すように、多数の襞１３が形成されながら容器Ａの内面形状に沿って貼り付けられる。
【００２８】
シート体１を貼り付けた容器Ａを食事に使用した後、シート体１に付着した食品汚れは、摘み部１２を摘んでシート体１の最上層のフィルム１１を剥がすだけで、簡単に容器Ａから除去することができる。従来のように、食品汚れを水を使って洗浄する必要がないので、水資源の節約になるとともに家庭排水による環境汚染の抑制にも貢献し得る。さらに、例えばキャンプ等の野外活動時、或いは被災時等において、洗浄水の確保が困難な状況であっても、手軽に食品汚れを除去することができ衛生的でもある。
【００２９】
また、本実施形態の食器シート１０によれば、シート体１を柔軟に変形させながら、粘着部２を容器Ａに粘着させるだけで、容器Ａの形状を問わず、簡単に容器Ａの内面形状に沿わせてシート体１を貼り付けることができので、使用者の手持ちの食器類にも適用することができる。
【００３０】
しかも、粘着部２によって、容器Ａの材質や表面形状等を問わず、確実にシート体１を容器Ａに貼り付けることができる。使い捨て式の簡易紙皿の内面にも確実に貼り付けることができ、また、ざる、かご等の多数の隙間ないし開口部を備えた容器の内面にもシート体１を貼り付けることができ、これらの容器を食事の用に供することができる。
【００３１】
また、本実施形態の食器シート１０にあっては、使用前の状態において、剥離ライナ３により柔軟なシート体１を平面形状に保持することができるので、その携帯性、取り扱い性に優れている。また、剥離ライナ３を剥がした後、シート体１を平面状態から容器Ａの内面形状に沿わせて変形させることができるので、シート体１の貼り付け作業も容易に行い得る。
【００３２】
更にまた、本実施形態の食器シート１０は、積層された複数枚のフィルム１１にそれぞれ、位置を異ならせた摘み部１２を形成しているので、薄く柔軟なフィルム１１を１枚ずつ容易に剥離してゆくことができ、フィルム剥離作業に手間取ることもない。
【００３３】
次に本発明に係る食器仕切りセットについて、図４及び図５を参照しながら説明する。本実施形態の食器仕切りセット２０は、図４に示すように、上述した食器シート１０と、所望の容器Ｂ上に載置可能な仕切り部材４と、から構成されている。
【００３４】
仕切り部材４は、合成樹脂材製の角棒状の棒状片４１から形成されており、その長さは容器Ｂの直径よりも若干大きい。ここでは、容器Ｂとして、使い捨て式の簡易紙皿を利用しているが、勿論、その他の食器類、容器類を適宜に利用することができる。
【００３５】
本実施形態の食器仕切りセット２０は、以下の手順で使用する。
【００３６】
まず、食事に使用する所望の容器Ｂと、食器仕切りセット２０とを準備する。次に、図４に示すように、容器Ｂの所望の位置に仕切り部材４を載置する。この仕切り部材４の載置位置によって容器Ｂの仕切り位置が決定される。
【００３７】
次に、食器シート１０の裏側の剥離ライナ３を剥がして粘着部２を露出させ、シート体１を仕切り部材４に被せる。そして、このシート体１を、仕切り部材４及び容器Ｂの内面形状に沿って変形させながら、粘着部２を容器Ｂの内面に粘着させる。
【００３８】
このことで、図５に示すように、容器Ｂの所望位置に、シート体１及び仕切り部材４による仕切り４２を簡単に設けることができ、そして、仕切り４２を設けた容器Ｂを食事に使用することができる。容器Ｂを食事に使用した後、シート体１に付着した食品汚れは、摘み部１２を摘んでシート体１の最上層のフィルム１１を剥せば、容器Ｂから簡単に除去することができる。なお、図５では、シート体１の下面側に設けられて容器Ｂと粘着する粘着部の図示を省略している。
【００３９】
このように、本実施形態の食器仕切りセット２０によれば、柔軟に変形させ得るシート体１を容器Ｂに貼り付けることによって、容器Ｂに仕切り部材４を簡単に固定することができるので、使用者自らが状況に応じて容器Ｂの所望位置に仕切り４２を設けることができる。したがって、複数の食品を混合させることなく一つの容器Ｂに収容することができ、大変便利である。食品の味が混ざることもなく、焼肉たれ等の調味料が混ざることもない。また、例えば、キャンプ等の野外活動時等に食品の種類に応じて何枚もの使い捨て式簡易紙皿を使用するといった不経済なこともない。
【００４０】
また、本実施形態の食器仕切りセット２０によれば、仕切り部材４とこの仕切り部材４上に被せて容器Ｂの内面に貼り付けたシート体１とによって、仕切り４２を形成しているので、たとえ仕切り部材４と容器Ｂの内面との間に隙間があっても、シート体１によって確実に容器Ｂを仕切ることができる。したがって、容器Ｂの内面形状を問わず所望の位置に仕切りを設けることができる。
【００４１】
以上、本発明に係る食器シート、及び食器仕切りセットの実施形態を説明したが、本発明はその他の形態でも実施することができる。
【００４２】
例えば、食器仕切りセットの仕切り部材として、図６に示す仕切り部材５を使用しても良い。仕切り部材５は、支軸５３により互いに回動可能にヒンジ連結された複数の棒状片５１、５２とから構成されている。この仕切り部材５の棒状片５１、５２を所望の角度に開いて容器Ｂ上の所望の位置に載置し、そして、シート体１を仕切り部材５に被せて容器Ｂに貼り付ければ、容器Ｂを３つの部分に仕切ることができる。棒状片５１、５２がＸ字形状に交差してヒンジ連結されていても良い。
【００４３】
また、食器仕切りセットの仕切り部材として、図７及び図８に示す仕切り部材６を使用しても良い。仕切り部材６は、合成樹脂製の円筒形状の筒状片６１から形成されている。この仕切り部材６を容器Ｂの底部の所望位置に載置し、シート体１を仕切り部材６に被せる。そして、シート体１を仕切り部材６及び容器Ｂの内面形状に沿って変形させながら、容器Ｂに貼り付ければ、筒状片６１の内側においても容器Ｂを簡単に仕切ることが可能となる。
【００４４】
また、上記実施形態の食器シート１０のシート体１は、３枚のフィルム１１により構成しているが、本発明は決してこれに限定されるものではなく、シート体１を単層フィルムで構成しても良い。また、シート体１は、所望の容器の内面全体に貼り付け可能な大きさを有していることが好ましいが、容器の内面を部分的に覆うものであっても良い。
【００４５】
本発明はその趣旨を逸脱しない範囲内で、当業者の知識に基づいて種々の改良、修正、変形を加えた態様で実施し得るものである。また、同一の作用又は効果が生じる範囲内でいずれかの発明特定事項を他の技術に置換した形態で実施しても良く、また、一体に構成されている発明特定事項を複数の部材から構成したり、複数の部材から構成されている発明特定事項を一体に構成した形態で実施しても良い。
【図面の簡単な説明】
【００４６】
【図１】本実施形態の食器シートの使用前の状態を示す図であり、（ａ）は平面図であり、同図（ｂ）は概略側面図である。
【図２】同食器シートの摘み部を示す要部拡大模式断面図である。
【図３】同食器シートの使用状態を示す斜視図である。
【図４】本実施形態の食器仕切りセットの斜視図である。
【図５】同食器仕切りセットの使用状態を示す模式断面図である。
【図６】本発明に係る食器仕切りセットの変形例の斜視図である。
【図７】本発明に係る食器仕切りセットの他の変形例の斜視図である。
【図８】同食器仕切りセットの使用状態を示す模式断面図である。
【符号の説明】
【００４７】
Ａ、Ｂ  容器
１０  食器シート
２０  食器仕切りセット
１  シート体
１１  フィルム
１２  摘み部
２  粘着部
３  剥離ライナ
４、５、６  仕切り部材
４１  棒状片
５１、５２  棒状片
５３  支軸
６１  筒状片
【図１】
2006346240.tif 000003
【図２】
2006346240.tif 000004
【図３】
2006346240.tif 000005
【図４】
2006346240.tif 000006
【図５】
2006346240.tif 000007
【図６】
2006346240.tif 000008
【図７】
2006346240.tif 000009
【図８】
2006346240.tif 000010